(57)【特許請求の範囲】
【請求項１】
折り曲げ可能な板部材を２枚重ねて配置した状態でその２枚の前記板部材の少なくとも２辺部を相互に接続し、前記板部材を曲げ伸ばしすることによって、２枚の前記板部材が相互に離間する方向へ移動した開状態と、２枚の前記板部材が相互に接近する方向へ移動した閉状態と、に開閉可能に構成され、
前記開状態において、一方側に開口部を有する容器状となり前記開口部と反対側に使用者からの荷重を受ける座面部が形成され、
前記板部材は、
前記座面部を形成する座面形成部と、
前記座面形成部と一体に形成され前記開口部の周囲の側面部を形成する側面形成部と、
前記座面形成部に設けられ、２枚の前記板部材の開閉方向に対して直角方向へ延びるように形成された山折りの溝である第１溝部と、
前記座面形成部と前記側面形成部との間にあって前記座面形成部に沿った楕円の円弧状に形成された山折りの第２溝部と、
前記座面形成部において前記第２溝部の両端部から前記側面形成部の上下方向の途中部分にかけて前記側面形成部の左右方向の外側へ向かって円弧状に膨らみ、その後、前記側面形成部の上下方向の途中部分から下端部にかけて前記側面形成部の左右方向の内側へ向かって円弧状に膨らむように上下方向へ向かって延びる曲線状に形成された山折りの溝である２つの第３溝部と、
前記側面形成部に形成され前記側面形成部の左右方向の両側端部において上下方向へ延びるように形成された谷折りの溝である２つの第４溝部と、を有し、
前記側面形成部は、
前記側面形成部の下縁部と前記第２溝部と２つの前記第３溝部とによって囲まれた領域であって、前記側面形成部における左右方向の中心部に設けられた第１側面領域と、
前記側面形成部の上下の縁部と前記第３溝部と前記第４溝部とで囲まれた領域であって、前記第１側面領域の左右両側に設けられた２つの第２側面領域と、を有し、
２枚の前記板部は、前記第１溝部と前記第２溝部と前記第３溝部と前記第４溝部との作用よって前記板部材の厚み方向へ開閉可能となっている折り畳み椅子。
【請求項２】
前記座面部は、開閉方向に対して直角方向へ長い楕円状であり、前記楕円状の長手方向の中心部から外側へ向かうにしたがって前記開口部側の縁部から離れるように湾曲している請求項１に記載の折り畳み椅子。
【請求項３】
前記開状態において、前記開口部の周囲を形成する側面部は、前記座面部側から前記開口部側へ向かうにしたがって、対向する他の側面部との距離が大きくなる請求項１又は２に記載の折り畳み椅子。
【発明の詳細な説明】
【技術分野】
【０００１】
本発明の実施形態は、折り畳み椅子に関する。
【背景技術】
【０００２】
折り畳み椅子は、例えば金属製のパイプを折り曲げて形成されたフレームと、座面部を形成する布と、を備えたものが公知である。このような折り畳み椅子においては、例えば２つのフレームが軸を中心に回動可能に構成されている。そして、座面部を形成する布が、２つのフレーム間に亘って設けられている。２つのフレームを回動させて開くと、布は、２つのフレームに引っ張られてこのフレーム間に張り渡される。これにより座面部が形成され、折り畳み椅子が、椅子としての機能を発揮する。
【０００３】
しかしながら、このような従来構成の折り畳み椅子では、折り畳んだ状態でもなお、フレーム自体の厚みは残る。そのため、このような椅子は、折り畳んで状態であっても収納したり携帯したりする際にかさばるため、収納性や携帯性に関して改善の余地があった。
【先行技術文献】
【特許文献】
【０００４】
【特許文献１】特開２０１４−２５６号公報
【発明の概要】
【発明が解決しようとする課題】
【０００５】
そこで、収納性や携帯性の向上を図った折り畳み椅子を提供する。
【課題を解決するための手段】
【０００６】
実施形態の折り畳み椅子は、折り曲げ可能な板部材を２枚重ねて配置した状態でその２枚の前記板部材の少なくとも２辺部を相互に接続し、前記板部材を曲げ伸ばしすることによって、２枚の前記板部材が相互に離間する方向へ移動した開状態と、２枚の前記板部材が相互に接近する方向へ移動した閉状態と、に開閉可能に構成されている。椅子は、前記開状態において、一方側に開口部を有する容器状となり前記開口部と反対側に使用者からの荷重を受ける座面部が形成される。前記板部材は、前記座面部を形成する座面形成部と、前記座面形成部と一体に形成され前記開口部の周囲の側面部を形成する側面形成部と、前記座面形成部に設けられ、２枚の前記板部材の開閉方向に対して直角方向へ延びるように形成された山折りの溝である第１溝部と、前記座面形成部と前記側面形成部との間にあって前記座面形成部に沿った楕円の円弧状に形成された山折りの第２溝部と、前記座面形成部において前記第２溝部の両端部から前記側面形成部の上下方向の途中部分にかけて前記側面形成部の左右方向の外側へ向かって円弧状に膨らみ、その後、前記側面形成部の上下方向の途中部分から下端部にかけて前記側面形成部の左右方向の内側へ向かって円弧状に膨らむように上下方向へ向かって延びる曲線状に形成された山折りの溝である２つの第３溝部と、前記側面形成部に形成され前記側面形成部の左右方向の両側端部において上下方向へ延びるように形成された谷折りの溝である２つの第４溝部と、を有している。前記側面形成部は、前記側面形成部の下縁部と前記第２溝部と２つの前記第３溝部とによって囲まれた領域であって、前記側面形成部における左右方向の中心部に設けられた第１側面領域と、前記側面形成部の上下の縁部と前記第３溝部と前記第４溝部とで囲まれた領域であって、前記第１側面領域の左右両側に設けられた２つの第２側面領域と、を有している。２枚の前記板部は、前記第１溝部と前記第２溝部と前記第３溝部と前記第４溝部との作用よって前記板部材の厚み方向へ開閉可能となっている。
【０００７】
これによれば、閉状態の椅子は、板部材を２枚重ねた状態となる。すなわち、実施形態の椅子は、金属パイプ等の部品を使用していないため、折り畳んだ状態で金属パイプ等の厚みが残らない。そのため、実施形態の椅子は、閉状態でその厚みを極力薄くすることができ、その結果、椅子の収納性や携帯性が向上する。
【０００８】
実施形態の椅子の座面部は、開閉方向に対して直角方向へ長い楕円状であり、楕円状の長手方向の中心部から外側へ向かうにしたがって開口部側の縁部から離れるように湾曲している。
すなわち、座面部を単純な平坦な板状にした場合、使用者が椅子に腰掛けた際に、使用者の臀部が座面部に密着し難い。そのため、例えば座面部を硬い合成樹脂製の材料等で構成すると、座り心地が悪くなる。一方、実施形態の椅子は、座面部が湾曲している。そのため、使用者が椅子に腰掛けた際に、使用者の臀部が座面部に密着し易い。したがって、例えば座面部を硬い合成樹脂製の材料等で構成しても、座り心地が良い。その結果、例えば椅子を長時間使用した際における使用者の疲れの軽減を図ることができる。
【０００９】
実施形態の椅子の側面部は、開状態において、座面部側から開口部側へ向かうにしたがって、対向する他の側面部との距離が大きくなっている。
すなわち、開状態における側面部は、座面部に加わった荷重を、設置面である地面や床面に伝達するものであり、従来構成のフレームに代わる部分である。実施形態の椅子の側面部は、板部材によって板状に構成されている。そのため、椅子は、側面部の面に平行方向への荷重に対しては強いが、側面部の面に直角方向への荷重に対しては比較的弱い。この場合、側面部を、座面部に対して直角つまり設置面に対して垂直に設けると、垂直方向への耐荷重性は高くなるが、前後左右方向への耐荷重性が比較的弱くなる。しかし、使用者が、椅子に腰掛けた状態で前後左右方向へ体を動かしたりすることも想定される。そのため、設置面に対して垂直方向ばかりでなく、前後左右方向への耐荷重性も高める必要がある。そこで、椅子の側面部を、開状態において開口部側へ行くにしたがって広がるようにすることで、設置面に対する垂直方向のみならず、左右及び前後方向への耐荷重性も向上させることができる。
【図面の簡単な説明】
【００１０】
【図１】一実施形態による折り畳み椅子の閉状態を示す斜視図
【図２】折り畳み椅子の閉状態を示す正面図
【図３】折り畳み椅子の閉状態を示す平面図
【図４】折り畳み椅子の閉状態を示す底面図
【図５】折り畳み椅子の閉状態を示す右側面図
【図６】折り畳み椅子の開状態を示す斜視図
【図７】折り畳み椅子の開状態を示す正面図
【図８】折り畳み椅子の開状態を示す平面図
【図９】折り畳み椅子の開状態を示す底面図
【図１０】折り畳み椅子の開状態を示す右側面図
【図１１】板部材を示す正面図
【発明を実施するための形態】
【００１１】
一実施形態による折り畳み椅子について、図面を参照して説明する。
各図において、図１〜図５は、折り畳み椅子１０の閉状態を示す図である。図６〜図１０は、折り畳み椅子１０の開状態を示す図である。なお、折り畳み椅子１０の閉状態を示す左側面図は、図５と同一であるため省略している。同様に、折り畳み椅子１０の開状態を示す左側面図は、図１０と同一であるため省略している。折り畳み椅子１０は、閉状態において全体として板状に構成され、開状態において椅子としての機能を発揮する。
【００１２】
なお、以下の説明においては、単に椅子１０と称する。また、以下の説明において、椅子１０の前後、左右、及び上下は、各図に矢印で示す通りである。使用者は、開状態の椅子１０の下部を設置面である地面や床面に接触させて、椅子１０を使用する。また、本実施形態の椅子１０は、開状態において、上下方向の寸法すなわち高さは約２５ｃｍ、左右方向の寸法すなわち幅は約４０ｃｍ、前後方向の寸法すなわち奥行きは約２０ｃｍである。なお、椅子１０の具体的な寸法は、上記したものに限定されない。
【００１３】
椅子１０は、２枚の板部材２０、２０を備えている。２枚の板部材２０、２０は、同一構成の部品である。板部材２０は、例えばポリプロピレン等の樹脂材料の成型品であって、図１１に示すように、１枚の板状に構成されている。板部材２０は、複数の溝部、この場合、第１溝部２１、第２溝部２２、第３溝部２３、及び第４溝部２４を有している。板部材２０は、各溝部２１〜２４に沿って、折り曲げ可能に構成されている。
【００１４】
なお、以下の説明において、溝部を挟んで両側に位置する２つの表面部が、互いに離間する方向へ折れ曲がることを山折りという。また、溝部を挟んで両側に位置する２つの表面部が、互いに接近する方向へ折れ曲がることを谷折りという。この場合、表面部とは、板部材２０の面のうち外方へ露出している面をいう。
【００１５】
板部材２０は、座面形成部３０と側面形成部４０とを一体に有している。側面形成部４０は、座面形成部３０の下側に設けられている。座面形成部３０は、図１１に示すように、左右方向に長い楕円形状の一部分を切り欠いた形状である。具体的には、座面形成部３０は、楕円形状の周囲と、楕円形状の長手方向の一方の頂点から中心までの線３０１（以下、長辺３０１と称する）と、楕円形状の短手方向の一方の頂点から中心までの線３０２（以下、短辺３０２と称する）と、で形成される領域、この場合、楕円形状の１／４程度を切り欠いた形状である。
【００１６】
座面形成部３０は、第１座面領域３１、第２座面領域３２、及び第３座面領域３３を有している。第１座面領域３１は、座面形成部３０のうち長辺３０１及び第２溝部２２に接する領域であり、楕円形状の１／４程度の大きさである。第２座面領域３２は、座面形成部３０のうち短辺３０２に接する領域であり、楕円形状の１／４程度の大きさである。第３領域は、座面形成部３０のうち長辺３０１及び短辺３０２のいずれにも接しない領域であり、楕円形状の１／４程度の大きさである。
【００１７】
第１溝部２１は、座面形成部３０において第２座面領域３２と第３座面領域３３との間に設けられている。第１溝部２１は、直線状に形成された山折りの溝である。すなわち、第２座面領域３２と第３座面領域３３とは、第１溝部２１によって相互の表面部が離間する側へ折れ曲がることが可能になっている。つまり、第２座面領域３２は、第３座面領域３３に対して図１１の紙面奥側へ折れ曲がることが可能である。
【００１８】
第２溝部２２は、座面形成部３０と側面形成部４０との間に設けられている。第２溝部２２は、座面形成部３０の周囲に沿った楕円の円弧状に形成された山折りの溝である。第２溝部２２の両端側において、座面形成部３０と側面形成部４０とは離間している。すなわち、座面形成部３０の第１座面領域３１及び第３座面領域３３側の縁部は、それぞれ座面形成部３０の楕円形状の長手方向の頂点部から短方向の頂点部側へ向けて、約１／３程度の距離に亘って、側面形成部４０から離間している。側面形成部４０と座面形成部３０とは、第２溝部２２によって、相互の表面部が離間する側へ折れ曲がることが可能になっている。つまり、座面形成部３０は、側面形成部４０に対して図１１の紙面奥側へ折れ曲がることが可能である。
【００１９】
側面形成部４０は、座面形成部３０の第１座面領域３１及び第２座面領域３２に接続している。側面形成部４０は、座面形成部３０の第１座面領域３１及び第２座面領域３２を含めて、全体として略台形状となっている。側面形成部４０は、側面形成部４０の左右方向の中心部に対して左右対称である。側面形成部４０は、第１側面領域４１と、２つの第２側面領域４２と、２つの第３側面領域４３と、を有している。
【００２０】
第１側面領域４１は、側面形成部４０において、左右方向の中心部に設けられている。第１側面領域４１は、側面形成部４０の下縁部と、第２溝部２２と、２つの第３溝部２３と、によって囲まれた領域である。２つの第２側面領域４２は、それぞれ第１側面領域４１の左右両側に設けられている。第２側面領域４２は、側面形成部４０の上下の縁部と、第３溝部２３と、第４溝部２４と、で囲まれた領域である。２つの第３側面領域４３は、それぞれ側面形成部４０の左右方向の両側端部に設けられている。第３側面領域４３は、上下方向に長い長方形状に形成されている。
【００２１】
側面形成部４０は、２つの第３溝部２３、及び２つの第４溝部２４を有している。第３溝部２３は、山折りの溝である。第３溝部２３は、第２溝部２２の両端部から側面形成部４０の下縁部に亘って、上下方向へ向かって延びる曲線状に形成されている。第３溝部２３は、上下方向の途中部分で曲率が変化している。すなわち、第３溝部２３は、第２溝部２２の端部から側面形成部４０の上下方向の途中部分にかけて、側面形成部４０の左右方向の外側へ向かってやや膨らむような円弧状に形成されている。その後、第３溝部２３は、曲率が変化し、側面形成部４０の上下方向の途中部分から下端部にかけて、側面形成部４０の左右方向の内側へ向かってやや膨らむ円弧状に形成されている。２つの第３溝部２３間の距離は、座面形成部３０側つまり上側が最大となり、座面形成部３０と反対側つまり下側が最小とっている。すなわち、２つの第３溝部２３間の距離は、上側から下方へ行くにしたがって次第に狭くなっている。
【００２２】
第３溝部２３は、第１側面領域４１と第２側面領域４２との間に設けられている。そのため、第１側面領域４１と第２側面領域４２とは、第３溝部２３を中心にして、相互の表面部が離間する方向へ折れ曲がることが可能になっている。この場合、第１側面領域４１に対して、左右両側に設けられた第２側面領域４２が、図１１の紙面奥側へ折れ曲がることが可能である。
【００２３】
第４溝部２４は、上下方向へ延びる直線状に形成された谷折りの溝である。第４溝部２４は、第２側面領域４２と第３側面領域４３との間に設けられている。そのため、第２側面領域４２と第３側面領域４３とは、第４溝部２４を中心にして、相互の表面部が接近する方向へ折れ曲がることが可能になっている。この場合、第３側面領域４３に対して、第２側面領域４２が、図１１の紙面手前側へ折れ曲がることが可能である。
【００２４】
座面形成部３０は、３個の第１穴部３４及び３個の第２穴部３５を有している。第１穴部３４及び第２穴部３５は、それぞれ座面形成部３０を円形に貫いて形成されている。第１穴部３４の内径と第２穴部３５との内径は同一である。３個の第１穴部３４は、それぞれ第１座面領域３１の周縁部において、楕円形状の短手方向の頂点部の近傍と、楕円形状の長手方向の頂点部の近傍と、これら２つの穴部３４、３４の中間部分と、に設けられている。
【００２５】
３個の第２穴部３５は、それぞれ第２座面領域３２の周縁部において、楕円形状の短手方向の頂点部の近傍と、楕円形状の長手方向の頂点部の近傍と、これら２つの穴部３５、３５の中間部分と、に設けられている。この場合、第１穴部３４、第２穴部３５とは、座面形成部３０の中心部に対して点対称に配置されている。
【００２６】
側面形成部４０は、６個の第３穴部４４、長穴部４５、及び止め具１１を有している。第３穴部４４は、側面形成部４０を円形に貫いて形成されている。この場合、第３穴部４４の内径は、第１穴部３４及び第２穴部３５の内径と同一である。第３穴部４４は、２個の第３側面領域４３に対して、それぞれ３個ずつ設けられている。第３穴部４４は、第３側面領域４３の長手方向に沿って配置されている。すなわち、第３穴部４４は、側面形成部４０の台形状の四隅部、及び左右の縁部における上下方向の中間部分に設けられている。
【００２７】
長穴部４５は、側面形成部４０において、左右方向の中央部でかつ上下方向のやや下側寄り部分に設けられている。すなわち、長穴部４５は、側面形成部４０の第１側面領域４１において、やや下側寄り部分に設けられている。長穴部４５は、側面形成部４０を左右方向に長い長穴形状に貫いて形成されている。使用者は、長穴部４５を、椅子１０を携帯する際の持ち手として使用することができる。
【００２８】
止め具１１は、例えば金属製や樹脂製のスナップボタンやフックなどである。止め具１１は、側面形成部４０において、左右方向の中央部でかつ上下方向のやや下側より部分に設けられている。この場合、止め具１１は、長穴部４５の左右方向の中央部でかつ長穴部４５の上側つまり座面形成部３０側に設けられている。
【００２９】
２枚の板部材２０は、図１〜図５に示すように、互いの内側の面を対向させた状態で重ね合わされる。そして、リベット等の固定具１２が、２枚の板部材２０を貫くようにして、各第３穴部４４に通される。これにより、２枚の板部材２０において側面形成部４０が相互に接続される。すなわち、２枚の板部材２０の左右の２辺部が、相互に接続される。
【００３０】
また、板部材２０の座面形成部３０の第２座面領域３２は、他方の板部材２０の座面形成部３０の第１座面領域３１を覆うようにして、山折りに折り曲げられる。その際、一方の板部材２０の第２穴部３５と、他方の板部材２０の第１穴部３４とが重なるようにする。そして、リベット等の固定具１２が、一方の板部材２０の第２座面領域３２と他方の板部材２０の第１座面領域３１とを貫くようにして、第２穴部３５及び第１穴部３４に通される。これにより、２枚の板部材２０において座面形成部３０が相互に接続される。この２枚の板部材２０が相互に接続された状態において、全体として台形状の板部材２０の四辺部のうち三辺部が閉じており、一辺部が開口した袋状に形成される。
【００３１】
このように構成された椅子１０は、図１及び図６に示すように、第１溝部２１〜第４溝部２４の作用によって、前後方向すなわち板部材２０の厚み方向へ開閉可能となる。すなわち、椅子１０は、板部材２０の各溝部２１〜２４の両側部分を曲げ伸ばしすることにより、開状態と閉状態とに開閉可能に構成されている。開状態とは、２枚の板部材２０、２０が相互に離間する方向へ移動した状態をいう。また、閉状態とは、２枚の板部材２０、２０が相互に接近する方向へ移動した状態をいう。椅子１０は、閉状態において、図２〜図５に示すように略板状となっている。一方、椅子１０は、開状態において、図６〜図１０に示すように、一方側つまり下方側に開口部１３を有する容器状となる。椅子１０は、開状態において椅子としての機能を発揮する。すなわち、開状態において、椅子１０は、座面部１４及び側面部１５を有する。
【００３２】
座面部１４は、２枚の板部材２０において、それぞれの座面形成部３０の第２座面領域３２と第３座面領域３３とによって形成される。座面部１４は、開口部１３と反対側つまり上側に設けられ、使用者からの荷重を受ける部分である。すなわち、座面部１４は、使用者が椅子１０に腰掛けた際に、使用者の臀部が接触する部分である。座面部１４は、図８に示すように、平面視において左右方向へ長い楕円状である。また、座面部１４は、図７に示すように、正面視において、楕円形状の長手方向の中心部から外側へ向かうにしたがって開口部１３側の縁部から離れるように湾曲している。すなわち、座面部１４は、正面視において、左右方向の中心部から外側へ向かうにしたがって上方へ向かって湾曲している。
【００３３】
また、開状態の椅子１０は、平面視及び側面視において、図７及び図１０に示すように、下側が広い台形状に構成されている。すなわち、椅子１０は、開状態において、開口部１３の周囲を形成する側面部１５が、座面部１４側から開口部１３側へ向かうにしたがって、対向する他の側面部１５との距離が大きくなっている。
【００３４】
以上の実施形態によれば、椅子１０は、折り曲げ可能に構成された板部材２０を２枚重ねて構成されている。２枚の板部材２０は、少なくとも２辺部、この場合、側面形成部４０の左右両側の縁部が相互に接続されている。椅子１０は、２枚の板部材２０が相互に離間する方向へ移動した状態を開状態とし、相互に接近する方向へ移動した状態を閉状態としている。そして、椅子１０は、開状態において、一方側つまり下側に開口部１３を有する容器状となって、開口部１３と反対側に座面部１４が形成される。
【００３５】
これによれば、椅子１０は、閉状態において、２枚分の板部材２０の厚みを有する板状となる。そのため、椅子１０は、閉状態においてその厚みを極力薄くすることができる。その結果、椅子１０の収納性や携帯性が向上する。さらに、閉状態の椅子１０は板状であるため、例えば複数の椅子１０を重ねた場合であっても、かさばり難い。そのため、複数の椅子１０を重ねる場合における収納性や携帯性も向上する。
【００３６】
椅子１０は、主に樹脂成形品である２枚の板部材２０によって構成されており、金属パイプ等の部品を必要としない。そのため、金属製の部品を極力減らすことができるため、同サイズの椅子に比べて軽量化を図ることが出来る。
【００３７】
椅子１０の開状態における座面部１４は、左右方向へ向かって長い楕円状であって、上方向へ向かって湾曲している。すなわち、座面部１４は、左右方向の中心部から外側へ向かうにしたがって上方へ向うアーチ状に形成されている。そのため、使用者が椅子１０に腰掛けた際に、使用者の臀部が座面部１４に密着し易い。したがって、椅子１０は、座面部１４が単純に平坦な板状のものに比べて座り易い。その結果、椅子１０を長時間使用した際における使用者の疲れの軽減を図ることができる。
【００３８】
開状態において、開口部１３の周囲を形成する側面部１５は、座面部１４側から開口部１３側へ向かうにしたがって、対向する他の側面部１５との距離が大きくなっている。具体的には、椅子１０は、開状態において、下側つまり開口部１３側が広くなるように形成されている。すなわち、椅子１０は、開状態において、下側が左右方向及び前後方向へ広がるように構成されている。このため、椅子１０は、左右方向及び前後方向への耐荷重性が向上する。その結果、椅子１０は、使用者が座った際の安定性の向上が図られる。
【００３９】
なお、以上説明した本発明は、上記実施形態に限定されるものではなく、その要旨を逸脱しない範囲で種々の実施形態に適用可能である。
板部材２０は、ポリプロピレン等の樹脂材料に限られず、例えばアルミニウム等の軽量金属や木材等であっても良い。この場合、溝部２１〜２４に換えて、例えばヒンジ等を設けることにより、板部材を折り曲げ可能に構成することができる。
座面形成部３０の第２座面領域３２は、他方の座面形成部３０の第１座面領域と接続されていなくても良い。すなわち、椅子１０の開状態において、一方の板部材２０の第２座面領域３２を、他の板部材２０の第１座面領域３１に載置するだけでも良い。
椅子１０の大きさは、使用対象者や、使用環境、使用目的等に応じて適宜変更することができる。
【符号の説明】
【００４０】
図面中、１０は折り畳み椅子、１３は開口部、１４は座面部、１５は側面部、２０は板部材、２１は第１溝部、２２は第２溝部、２３は第３溝部、２４は第４溝部、３０は座面形成部、４０は側面形成部、４１は第１側面領域、４２は第２側面領域を示す。
【要約】
【課題】収納性や携帯性の向上を図った折り畳み椅子を提供する。
【解決手段】折り畳み椅子１０は、折り曲げ可能な板部材２０を２枚重ねて配置した状態でその２枚の板部材２０の少なくとも２辺部を相互に接続し、板部材２０を曲げ伸ばしすることによって、２枚の板部材２０が相互に離間する方向へ移動した開状態と、２枚の板部材２０が相互に接近する方向へ移動した閉状態と、に開閉可能に構成されている。椅子１０は、開状態において、一方側に開口部１３を有する容器状となり開口部１３と反対側に使用者からの荷重を受ける座面部１４が形成される。
【選択図】図６【図１】
0005763814.tif 000002
【図２】
0005763814.tif 000003
【図３】
0005763814.tif 000004
【図４】
0005763814.tif 000005
【図５】
0005763814.tif 000006
【図６】
0005763814.tif 000007
【図７】
0005763814.tif 000008
【図８】
0005763814.tif 000009
【図９】
0005763814.tif 000010
【図１０】
0005763814.tif 000011
【図１１】
0005763814.tif 000012